(57)【要約】【課題】一つ以上の電気機器に対し省エネルギー化を実現させることのできる処理装置を提供する。【解決手段】処理装置としての画像処理装置は、一つ以上の電気機器との通信により当該電気機器の状態情報を取得する取得手段と、前記一つ以上の電気機器の中の制御対象の電気機器を示す情報および当該制御対象の電気機器にかかわる省エネルギー対策処理情報を受け付ける受付手段と、前記取得手段が取得した情報と前記受付手段が受け付けた情報とを基に、前記制御対象の電気機器に対し前記省エネルギー対策処理を実行するべき旨を通知する制御手段と、を備える。【選択図】図１
2010206642.tif 000002
【特許請求の範囲】
【請求項１】
一つ以上の電気機器との通信により当該電気機器の状態情報を取得する取得手段と、
前記一つ以上の電気機器の中の制御対象の電気機器を示す情報および当該制御対象の電気機器にかかわる省エネルギー対策処理情報を受け付ける受付手段と、
前記取得手段が取得した情報と前記受付手段が受け付けた情報とを基に、前記制御対象の電気機器に対し前記省エネルギー対策処理を実行するべき旨を通知する制御手段と、
を有することを特徴とする処理装置。
【請求項２】
一つ以上の電気機器との通信により当該電気機器の状態情報を取得する取得手段と、
前記一つ以上の電気機器の中の制御対象の電気機器を示す情報および当該制御対象の電気機器にかかわる省エネルギー対策処理情報を含む原稿から画像情報を読み取る読取手段と、
前記読取手段による読み取りの結果を解析する解析手段と、
前記取得手段が取得した情報と前記解析手段が解析した結果とを基に、前記制御対象の電気機器に対し前記省エネルギー対策処理を実行するべき旨を通知する制御手段と、
を有することを特徴とする画像処理装置。
【請求項３】
前記省エネルギー対策処理は、
前記制御対象の電気機器の電源に対する電源操作処理であり、前記制御対象の電気機器の状態が指定される状態に遷移した場合に実施される当該電気機器の電源を動作させる処理を含んでいる、
ことを特徴とする請求項２記載の画像処理装置。
【請求項４】
前記解析手段が解析した結果としての、前記制御対象の電気機器を示す情報と、当該電気機器の状態が指定される状態に遷移した場合に実施される当該電気機器の電源を動作させる処理を含む前記電源操作処理を示す情報とを記憶する記憶手段、を更に有し、
前記制御手段は、
前記取得手段が取得した電気機器の状態が前記指定される状態に遷移していることを条件に、前記制御対象の電気機器に対し前記電源操作処理を実行するべき旨を通知する、
ことを特徴とする請求項３記載の画像処理装置。
【請求項５】
前記記憶手段は、
前記電源操作処理が実行される時刻を示す情報をさらに記憶し、
前記制御手段は、
前記取得手段が取得した電気機器の状態が前記指定される状態に遷移するとともに現在の時刻が前記時刻に達したことを条件に、前記制御対象の電気機器に対し前記電源操作処理を実行するべき旨を通知する、
ことを特徴とする請求項４記載の画像処理装置。
【請求項６】
前記原稿は、
前記一つ以上の電気機器が提示されるとともに当該提示内容の中から制御対象の電気機器を指定するための第１の項目と、
前記制御対象の電気機器の状態が指定される状態に遷移した場合に実施される当該制御対象の電気機器の電源を動作させる処理が異なる複数の前記電源操作処理が提示されるとともに当該提示内容の中から特定の電源操作処理を指定するための第２の項目と、
前記特定の電源操作処理が実行される時刻を指定するための第３の項目と、
を含む様式の文書が印刷された印刷物であって、
当該印刷物に対してユーザにより少なくとも前記第１の項目および前記第２の項目に関して指定されたものである、
ことを特徴とする請求項２〜５の何れか一項に記載の画像処理装置。
【請求項７】
自装置の状態を処理装置に向けて送信する送信手段と、
前記処理装置から送信される省エネルギー対策処理を実行するべき旨の通知を取得する取得手段と、
前記取得手段が取得した情報を基に省エネルギー対策処理を実行する実行手段と、
を有することを特徴とする電気機器。
【請求項８】
請求項２から請求項６の何れか一項に記載の画像処理装置と、請求項７記載の一つ以上の電気機器とが通信回線を介して接続され、
前記一つ以上の電気機器は、
当該電気機器の状態情報を前記画像処理装置に向けて送信し、
前記画像処理装置は、
前記電気機器の状態情報と原稿から読み取った画像情報にかかわる解析の結果とを基に、前記一つ以上の電気機器の中の制御対象の電気機器に対し省エネルギー対策処理を実行するべき旨を通知し、
さらに、前記制御対象の電気機器は、
前記画像処理装置から通知された通知内容に従って省エネルギー対策処理を実行する、
ことを特徴とする通信システム。
【請求項９】
一つ以上の電気機器から送信される当該電気機器の状態情報を取得する取得処理過程と、
前記一つ以上の電気機器の中の制御対象の電気機器を示す情報および当該制御対象の電気機器にかかわる省エネルギー対策処理情報を受け付ける受付処理過程と、
前記取得処理過程により取得された情報と前記受付処理過程により受け付けられた情報とを基に、前記制御対象の電気機器に対し前記省エネルギー対策処理を実行するべき旨を通知する制御処理過程と、
をコンピュータに実行させることを特徴とする処理プログラム。
【発明の詳細な説明】
【技術分野】
【０００１】
本発明は、処理装置、画像処理装置、電気機器、通信システム、処理プログラムに関するものである。
【背景技術】
【０００２】
従来、スキャナ等の画像入力装置やプリンタ等の画像出力装置など電気機器は、使用されない状態が一定時間継続した場合には待機状態（スタンバイ）に遷移し、この待機状態で一定時間経過した場合はさらに節電状態（スリープ）に遷移する機能を有している。
【０００３】
省エネルギーの観点からは、上述したような電気機器においては、その機器の処理が終了し使用されない状態が一定時間継続した場合は、節電状態に遷移する、または当該電気機器の電源（主電源）をオフすることが好ましい。
【０００４】
なお、複数の電気機器がネットワークに接続されたシステムには、特定の電気機器から他の電気機器の電源をオフすることを可能としたものも提案されている（例えば、特許文献１参照。）。
【先行技術文献】
【特許文献】
【０００５】
【特許文献１】特開２００２−０３３８６５号公報
【発明の概要】
【発明が解決しようとする課題】
【０００６】
本発明は、一つ以上の電気機器に対し省エネルギー化を実現させることのできる処理装置、画像処理装置、通信システム、処理プログラムを提供することを目的とする。
【０００７】
また、本発明は、省エネルギー化を図ることのできる電気機器を提供することを目的とする。
【課題を解決するための手段】
【０００８】
上記課題を解決するため、請求項１に記載の本発明の処理装置は、一つ以上の電気機器との通信により当該電気機器の状態情報を取得する取得手段と、前記一つ以上の電気機器の中の制御対象の電気機器を示す情報および当該制御対象の電気機器にかかわる省エネルギー対策処理情報を受け付ける受付手段と、前記取得手段が取得した情報と前記受付手段が受け付けた情報とを基に、前記制御対象の電気機器に対し前記省エネルギー対策処理を実行するべき旨を通知する制御手段と、を有することを特徴とする。
【０００９】
上記課題を解決するため、請求項２に記載の本発明の画像処理装置は、一つ以上の電気機器との通信により当該電気機器の状態情報を取得する取得手段と、前記一つ以上の電気機器の中の制御対象の電気機器を示す情報および当該制御対象の電気機器にかかわる省エネルギー対策処理情報を含む原稿から画像情報を読み取る読取手段と、前記読取手段による読み取りの結果を解析する解析手段と、前記取得手段が取得した情報と前記解析手段が解析した結果とを基に、前記制御対象の電気機器に対し前記省エネルギー対策処理を実行するべき旨を通知する制御手段と、を有することを特徴とする。
【００１０】
請求項３に記載の発明は、上記請求項２に記載の発明において、前記省エネルギー対策処理は、前記制御対象の電気機器の電源に対する電源操作処理であり、前記制御対象の電気機器の状態が指定される状態に遷移した場合に実施される当該電気機器の電源を動作させる処理を含んでいる、ことを特徴とする。
【００１１】
請求項４に記載の発明は、上記請求項３に記載の発明において、前記解析手段が解析した結果としての、前記制御対象の電気機器を示す情報と、当該電気機器の状態が指定される状態に遷移した場合に実施される当該電気機器の電源を動作させる処理を含む前記電源操作処理を示す情報とを記憶する記憶手段、を更に有し、前記制御手段は、前記取得手段が取得した電気機器の状態が前記指定される状態に遷移していることを条件に、前記制御対象の電気機器に対し前記電源操作処理を実行するべき旨を通知する、ことを特徴とする。
【００１２】
請求項５に記載の発明は、上記請求項４に記載の発明において、前記記憶手段は、前記電源操作処理が実行される時刻を示す情報をさらに記憶し、前記制御手段は、前記取得手段が取得した電気機器の状態が前記指定される状態に遷移するとともに現在の時刻が前記時刻に達したことを条件に、前記制御対象の電気機器に対し前記電源操作処理を実行するべき旨を通知する、ことを特徴とする。
【００１３】
請求項６に記載の発明は、上記請求項２〜５の何れか一項に記載の発明において、前記原稿は、前記一つ以上の電気機器が提示されるとともに当該提示内容の中から制御対象の電気機器を指定するための第１の項目と、前記制御対象の電気機器の状態が指定される状態に遷移した場合に実施される当該制御対象の電気機器の電源を動作させる処理が異なる複数の前記電源操作処理が提示されるとともに当該提示内容の中から特定の電源操作処理を指定するための第２の項目と、前記特定の電源操作処理が実行される時刻を指定するための第３の項目と、を含む様式の文書が印刷された印刷物であって、当該印刷物に対してユーザにより少なくとも前記第１の項目および前記第２の項目に関して指定されたものである、ことを特徴とする。
【００１４】
上記課題を解決するため、請求項７に記載の本発明の電機機器は、自装置の状態を処理装置に向けて送信する送信手段と、前記処理装置から送信される省エネルギー対策処理を実行するべき旨の通知を取得する取得手段と、前記取得手段が取得した情報を基に省エネルギー対策処理を実行する実行手段と、を有することを特徴とする。
【００１５】
上記課題を解決するため、請求項８に記載の本発明の通信システムは、請求項２から請求項６の何れか一項に記載の画像処理装置と、請求項７記載の一つ以上の電気機器とが通信回線を介して接続され、前記一つ以上の電気機器は、当該電気機器の状態情報を前記画像処理装置に向けて送信し、前記画像処理装置は、前記電気機器の状態情報と原稿から読み取った画像情報にかかわる解析の結果とを基に、前記一つ以上の電気機器の中の制御対象の電気機器に対し省エネルギー対策処理を実行するべき旨を通知し、さらに、前記制御対象の電気機器は、前記画像処理装置から通知された通知内容に従って省エネルギー対策処理を実行する、ことを特徴とする。
【００１６】
上記課題を解決するため、請求項９に記載の本発明の処理プログラムは、一つ以上の電気機器から送信される当該電気機器の状態情報を取得する取得処理過程と、前記一つ以上の電気機器の中の制御対象の電気機器を示す情報および当該制御対象の電気機器にかかわる省エネルギー対策処理情報を受け付ける受付処理過程と、前記取得処理過程により取得された情報と前記受付処理過程により受け付けられた情報とを基に、前記制御対象の電気機器に対し前記省エネルギー対策処理を実行するべき旨を通知する制御処理過程と、をコンピュータに実行させることを特徴とする。
【発明の効果】
【００１７】
請求項１記載の発明によれば、一つ以上の電気機器に対し省エネルギー化を実現させることができる。
【００１８】
請求項２記載の発明によれば、一つ以上の電気機器に対し省エネルギー化を実現させることができる。
【００１９】
請求項３記載の発明によれば、制御対象の電源機器に対し、省エネルギー対策処理としての電源操作処理を実施させることができる。
【００２０】
請求項４記載の発明によれば、制御対象の電気機器の状態が予め設定される状態に遷移したときに、当該制御対象の電源機器に対し、省エネルギー対策処理としての電源操作処理を実施させることができる。
【００２１】
請求項５記載の発明によれば、制御対象の電気機器の状態が予め設定される状態に遷移し、かつ現在の時刻が予め指定される時刻に達したときに、当該制御対象の電気機器に対し、省エネルギー対策処理としての電源操作処理を実施させることができる。
【００２２】
請求項６記載の発明によれば、制御対象の電気機器に対し、省エネルギー対策処理としての異なる複数の電源操作処理の中の特定の電源操作処理を実施させることができる。
【００２３】
請求項７記載の発明によれば、省エネルギー化を図ることができる。
【００２４】
請求項８記載の発明によれば、一つ以上の電気機器に対し省エネルギー化を実現させることができる。
【００２５】
請求項９記載の発明によれば、一つ以上の電気機器に対し省エネルギー化を実現させるソフトウェアを提供することができる。
【図面の簡単な説明】
【００２６】
【図１】第１の実施の形態に係る通信システムの構成を示す構成図である。
【図２】第１の実施の形態に係る通信システムを適用した画像形成システムの構成を示す構成図である。
【図３】第１の実施の形態に係る画像入力装置の機能構成を示すブロック図である。
【図４】第１の実施の形態に係る画像形成装置の機能構成を示すブロック図である。
【図５】第１の実施の形態に係る電源操作シートを説明する図である。
【図６】第１の実施の形態に係る接続機器管理テーブルを説明する図である。
【図７】第１の実施の形態に係る画像処理装置としての画像入力装置の電源操作制御処理の処理手順を示すフローチャートである。
【図８】第１の実施の形態に係る接続機器管理テーブルの一例を示す図である。
【図９】第１の実施の形態に係る電源操作シートの一例を示す図である。
【図１０】第１の実施の形態に係る電源操作シートであって選択肢が選択された後の電源操作シートの一例を示す図である。
【図１１】第１の実施の形態に係る接続機器管理テーブルであって電源操作シートに設定されている情報を基に内容が更新された後の接続機器管理テーブルの一例を示す図である。
【図１２】第１の実施の形態に係る画像入力装置の電源操作制御処理の処理過程を説明する図である。
【図１３】第１の実施の形態に係る電源操作シートにおける機器指定の項目の指定方法を説明する図である。
【図１４】第１の実施の形態に係る画像入力装置のハードウェア構成を示す構成図である。
【図１５】第２の実施の形態に係る画像入力装置の電源操作制御処理の処理過程を説明する図である。
【図１６】第２の実施の形態に係る電源操作シートであって選択肢が選択された後の電源操作シートの一例を示す図である。
【図１７】第２の実施の形態に係る接続機器管理テーブルであって電源操作シートに設定されている情報を基に内容が更新された後の接続機器管理テーブルの一例を示す図である。
【発明を実施するための形態】
【００２７】
以下、本発明の一例としての実施の形態について、図面に基づいて詳細に説明する。なお、実施の形態を説明するための図面において、同一の構成要素には原則として同一の符号を付し、その繰り返しの説明は省略する。
【００２８】
（第１の実施の形態）
【００２９】
第１の実施の形態に係る通信システムについて、図１を参照して説明する。
【００３０】
通信システム１では、図１に示すように、画像処理装置１０と複数（ｎ）の電気機器２０＃１，２０＃２，２０＃ｎとが通信回線３０を介して接続されている。
【００３１】
処理装置としての画像処理装置１０は、取得部１１および受付部１２を有する制御部１３を備えている。
【００３２】
取得部１１は、取得手段の機能を有し、一つ以上の電気機器との通信により当該電気機器の状態情報を取得する。
【００３３】
受付部１２は、受付手段の機能を有し、一つ以上の電気機器の中の制御対象の電気機器を示す情報および当該制御対象の電気機器にかかわる省エネルギー対策処理情報を受け付ける。
【００３４】
制御部１３は、制御手段の機能を有し、取得部１１が取得した情報と受付部１２が受け付けた情報とを基に、上記制御対象の電気機器に対し上記省エネルギー対策処理を実行するべき旨を通知する。
【００３５】
すなわち、制御部１３は、取得部１１が取得した複数の電気機器２０からの状態情報と、受付部１２によって受け付けられ、ユーザによって指定される複数の電気機器２０の中の制御対象の電気機器を示す情報および当該制御対象の電気機器の電源に対する電源操作処理を示す情報とを基に、制御対象の電気機器例えば電気機器２０＃１および電気機器２０＃２に対し、省エネルギー対策処理としての電源操作処理を実行するべき旨を通知する。
【００３６】
そして、制御対象の電気機器（この例では電気機器２０＃１および電気機器２０＃２）は、通知された電源操作処理を実行する。電源操作処理としては、電源をオフ（ＯＦＦ）する処理（電源ＯＦＦ）、節電に移行する処理（節電移行）などが挙げられる。
【００３７】
画像処理装置１０としては、ユーザによって指定される上記制御対象の電気機器を示す情報および上記電源操作処理を示す情報を取得することができる装置であって、前記各情報を電子データとして受け付ける例えばコンピュータなど情報処理装置や、前記各情報が形成されている原稿（印刷物）を読み取り画像情報として受け付ける画像入力装置や複合機、などが挙げられる。
【００３８】
電気機器２０＃１〜２０＃ｎは、送信部２１、取得部２２および実行部２３を有している。
【００３９】
送信部２１は、送信手段の機能を有し、当該電気機器の状態情報を処理装置としての画像処理装置１０に向けて送信する。
【００４０】
取得部２２は、取得手段の機能を有し、画像処理装置１０から送信される省エネルギー対策処理を実行するべき旨の通知を取得する。
【００４１】
実行部２３は、実行手段の機能を有し、取得部２２が取得した情報を基に省エネルギー対策処理を実行する。例えば実行部２３は、省エネルギー対策処理としての電源ＯＦＦ、または節電移行を実行する。
【００４２】
ここで、複数（ｎ）の電気機器２０＃１，２０＃２，・・・，２０＃ｎを総称して電気機器２０と表記する。
【００４３】
複数の電気機器２０としては、スキャナなど画像入力装置、プリンタや複写機など画像形成装置（単一の画像形成機能を有する画像形成装置）、スキャン機能、プリント機能、コピー機能など複数の画像形成機能を有する画像形成装置（以下「複合機」という。）、コンピュータなど情報処理装置、などが挙げられる。
【００４４】
通信回線３０としては、ローカルエリアネットワーク（ＬＡＮ＝Ｌｏｃａｌ  Ａｒｅａ  Ｎｅｔｗｏｒｋ）や電話回線などの有線通信回線、無線ＬＡＮなどの無線通信回線、さらには、これらの通信回線を組み合わせたもの、などが挙げられる。第１の実施の形態では、通信回線３０としてネットワークを採用するものとし、通信回線３０をネットワーク３０と表記する。
【００４５】
上述した通信システム１を適用した画像形成システム２を、図２に示す。
【００４６】
画像形成システム２では、図２に示すように、複数（二台）の画像入力装置１００＃１，１００＃２と複数（四台）の画像形成装置２００＃１，２００＃２，２００＃３，２００＃４とが通信回線としてのネットワーク３００に接続されている。
【００４７】
複数の画像入力装置１００＃１，１００＃２は例えばスキャナであり、また電気機器（図２の電気機器２０に相当）でもある。なお、これら画像入力装置１００＃１，１００＃２を総称して画像入力装置１００と表記する。
【００４８】
複数の画像形成装置２００＃１，２００＃２，２００＃３，２００＃４は例えばプリンタであり、また電気機器（図２の電気機器２０に相当）でもある。なお、これら画像形成装置２００＃１，２００＃２，２００＃３，２００＃４を総称して画像形成装置２００と表記する。
【００４９】
画像入力装置１００（１００＃１，１００＃２）は、図３に示すように、通信部１１０、制御部１２０、画像読取部１３０、画像解析部１４０、記憶部１５０、および操作／表示部１６０を有している。
【００５０】
ところで、画像入力装置１００＃１および画像入力装置１００＃２のそれぞれは図１の画像処理装置２０として機能することが可能であり、前記２つの画像入力装置のうち何れかの画像入力装置に対して、ユーザが画像処理装置として機能させる旨を設定することにより、当該画像入力装置が画像処理装置２０として機能する。この場合、他の画像入力装置は画像処理装置２０としての機能が停止された状態となる。
【００５１】
第１の実施の形態では、画像入力装置１００＃１が画像処理装置として機能するものとする。
【００５２】
通信部１１０は、ネットワーク３００に接続され、該ネットワーク３００に接続された画像出力装置２００とのデータの送受信を行う。受信されたデータは、制御部１２０に与えられる。
【００５３】
画像読取部１３０は、読取手段の機能を有し、文書や電源操作シートなど原稿を光学的に読み取り画像データに変換する。この画像データは制御部１２０を経由して画像解析部１４０に与えられる。なお、電源操作シートの詳細については後述する。
【００５４】
画像解析部１４０は、解析手段の機能を有し、制御部１２０から与えられる画像データを解析し、この解析した結果を制御部１２０へ出力する。
【００５５】
制御部１２０は、取得部１２１を有しており、画像読取部１３０によって変換された画像データを取得して画像解析部１４０へ出力するとともに、画像解析部１４０によって解析された解析結果を取得し、この解析結果を基に、操作／表示部１６０に対しメッセージの表示の制御や入力要求などを行う。
【００５６】
取得部１２１は、取得手段の機能を有し、通信部１１０を介して画像形成装置２００からの当該画像形成装置２００の状態情報を取得する。
【００５７】
制御部１２０は、制御手段の機能を有し、取得部１２１が取得した画像形成装置２００の状態情報と画像解析部１４０が解析した結果とを基に、制御対象の電気機器に対し省エネルギー対策処理としての電源操作処理を実行するべき旨を通知する。
【００５８】
なお、制御部１２０が画像解析部１４０からの解析結果を取得するということは、上記一つ以上の電気機器の中の制御対象の電気機器を示す情報および当該制御対象の電気機器にかかわる省エネルギー対策処理情報としての電源操作処理情報を受け付けることを意味する。そのため、制御部１２０は画像処理装置１０の受付部１２の機能を有していると言える。
【００５９】
そして、制御部１２０は、取得部１２１が取得した情報と画像解析部１４０が解析した結果（画像処理装置１０の受付部１２と同等の機能により受け付けた情報）とを基に、指定される制御対象の電気機器に対し省エネルギー対策処理としての電源操作処理情を実行するべき旨を通知する。
【００６０】
記憶部１５０は、記憶手段の機能を有し、当該画像入力装置１００とネットワーク３００を介して接続されかつ当該画像入力装置１００の管理下にある電気機器を管理するテーブル（以下「接続機器管理テーブル」という。）、各フォームで電源操作処理が登録されるテーブル（フォーム別電源操作テーブル）を記憶する。なお、接続機器管理テーブルの詳細については後述する。
【００６１】
操作／表示部１６０は、当該画像入力装置１００の状態、メニューなど選択肢（画像入力装置として機能させる旨の選択肢など）、およびエラーメッセージなど表示情報を表示する表示部（表示機能部）と、入力情報や指示情報を入力する入力部（入力機能部）とを有する。操作／表示部１６０の入力部によって入力された入力情報や指示情報は、制御部１２０に与えられる。
【００６２】
画像形成装置２００（２００＃１，２００＃２，２００＃３，２００＃４）は、図４に示すように、通信部２１０、制御部２２０、記憶部２３０、画像処理部２４０、印刷処理部２５０、操作／表示部２６０、および電源操作部２７０を有している。
【００６３】
通信部２１０は、送信手段の機能を有し、ネットワーク３００に接続され、該ネットワーク３００に接続された画像入力装置１００とのデータの送受信を行う。受信されたデータは制御部２２０に与えられる。
【００６４】
制御部２２０は、取得部２２１を有しており、通信部２１０を介して印刷データを取得した場合は当該印刷データを画像処理部２４０へ出力するとともに、当該画像形成装置２００の状態情報を、通信部２１０を介して画像処理装置としての画像入力装置１００＃１に向けて送信する。
【００６５】
取得部２２１は、取得手段の機能を有し、通信部２１０を介して画像処理装置としての画像入力装置１００＃１からの電源操作処理を実行するべき旨の通知を取得したときは、当該電源操作処理を実行するべき旨を電源操作部２７０へ出力する。
【００６６】
記憶部２３０は、通信部２１０によって受信された印刷データなど受信データを記憶する。
【００６７】
画像処理部２４０は、制御部２２０から与えられる印刷データを基にページ単位の画像データ（ラスタデータ）を生成する。
【００６８】
印刷処理部２５０は、例えば電子写真プロセスを実行するものであり、画像処理部２４０によって生成されたページ単位の画像データを基に、画像を記録用紙に画像形成（印刷）する。
【００６９】
操作／表示部２６０は、当該画像形成装置２００の状態、画像形成（印刷）中のメッセージやエラーメッセージなど表示情報を表示する表示部（表示機能）と、入力情報や指示情報を入力する入力部（入力機能）とを有する。その入力部によって入力された入力情報や指示情報は制御部２２０に与えられる。
【００７０】
電源操作部２７０は、実行手段の機能を有し、制御部２２０の取得部２２１からの電源操作処理を実行するべき旨を受け付けたときは、当該電源操作処理を実行する。
【００７１】
次に、電源操作シートについて詳細に説明する。
【００７２】
電源操作シートは、一つ以上の電気機器の中の制御対象の電気機器を示す情報および当該制御対象の電気機器にかかわる省エネルギー対策処理情報を含む原稿である。
【００７３】
上記省エネルギー対策処理は、制御対象の電気機器の電源に対する電源操作処理であり、制御対象の電気機器の状態が指定される状態に遷移した場合に実施される当該電気機器の電源を動作させる処理を含んでいる。
【００７４】
電源操作シート１３００は、図５に示すように、フォーム識別コード１３１０、印刷日時１３２０、機器指定１３３０、動作１３４０、および時刻指定１３５０の各項目から構成されている。
【００７５】
フォーム識別コード１３１０の項目は、電源操作シートであることを示すためのコードを示す。フォーム識別コード１３１０の項目には、システム側（画像処理装置としての画像入力装置の制御部）によってコードが記述される。フォーム識別コード１３１０の項目に記述されるコードは予め設定される値となる。第１の実施の形態ではコードは数字により表現しているが、バーコードなどでもよい
【００７６】
印刷日時１３２０の項目は、電源操作シートが印刷された日時を示す。この印刷した日時での接続機器であることを判断できる。
【００７７】
機器指定１３３０の項目は、画像処理装置としての画像入力装置が接続されているネットワークに接続されている機器（電気機器）のホスト名を示す。機器指定１３３０の項目の領域に、全ての電気機器に関するホスト名を記述することができない場合は、別の電源操作シートの当該機器指定１３３０の項目に記述される。この例では、機器指定１３３０の項目には、ホスト名がリスト表記で記述されるようになっている。
【００７８】
この機器指定１３３０の項目は、一つ以上の電気機器が提示されるとともに当該提示内容の中から制御対象の電気機器を指定するための第１の項目に対応する。
【００７９】
ちなみに、「Ｐｒｉｎｔｅｒ１」は画像形成装置２００＃１を、「Ｐｒｉｎｔｅｒ２」は画像形成装置２００＃２を、「Ｐｒｉｎｔｅｒ３」は画像形成装置２００＃３を、「Ｐｒｉｎｔｅｒ４」は画像形成装置２００＃４をそれぞれ示す。また、「Ｓｃａｎｎｅｒ１」は画像入力装置１００＃１を、「Ｓｃａｎｎｅｒ２」は画像入力装置１００＃２をそれぞれ示す。
【００８０】
また、「全スキャナ」、「全プリンタ」、「Ｐｒｉｎｔｅｒ１〜４」および「Ｓｃａｎｎｅｒ２」の各ホスト名に対応して記述されている「記号□」（チェックボックス）は、該当する電気機器を制御対象の電気機器として指定するためのものである。ユーザは、該当する電気機器を制御対象の電気機器として指定したい場合、該当する電気機器に対応する「記号□」（チェックボックス）の内部を塗り潰し（マーク形式で塗り潰し）、「記号■」（チェックボックス）に変更することになる。
【００８１】
さらに、「Ｓｃａｎｎｅｒ１」に対応して記述されている「記号※」は、ネットワーク３００に接続されている電気機器を管理する電気機器つまり画像処理装置としての電気機器であることを示す。従って、「Ｓｃａｎｎｅｒ１」である画像入力装置１００＃１については、制御対象の電気機器として指定することはできない。
【００８２】
動作１３４０の項目は、機器指定１３３０の項目で指定した電気機器に対して動作させる処理（電源操作処理）のリストを示す。これら複数の電源操作処理のリスト（この例では「電源ＯＦＦ」と「節電移行」の２種類）の中から特定の電源操作処理がユーザによって指定される。
【００８３】
この動作１３４０の項目は、制御対象の電気機器の状態が指定される状態に遷移した場合に実施される当該制御対象の電気機器の電源を動作させる処理が異なる複数の電源操作処理（この例では「電源ＯＦＦ」と「節電移行」の２種類）が提示されるとともに当該提示内容の中から特定の電源操作処理を指定するための第２の項目に対応する。
【００８４】
ちなみに、動作１３４０の項目には、予め設定される電源操作処理として「電源ＯＦＦ」と「節電移行」とが示されている。
【００８５】
電源操作処理としての「電源ＯＦＦ」の詳細な条件（動作条件）として、（１）節電中の機器のみ実行、（２）印刷中でないプリンタのみ実行、（３）エラーでない機器のみ実行、（４）ＦＡＸ機能付きでないプリンタのみ実行、（５）節電モードに移行したら実行（予約動作）、（６）印刷処理が終了したら実行（予約動作）、が示されている。
【００８６】
また、電源操作処理としての「節電移行」の詳細な条件（動作条件）として、（１）印刷中でないプリンタのみ実行、（２）印刷処理が終了したら実行（予約動作）、が示されている。
【００８７】
「電源ＯＦＦ」および動作条件、並びに「節電移行」」および動作条件のそれぞれに対応して記述されている「記号□」（チェックボックス）は、該当する電源操作処理および動作条件を指定するためのものである。
【００８８】
ただし、第１の実施の形態においては、「電源ＯＦＦ」および「節電移行」の何れかの電源操作処理を指定するとともに、動作条件を一つ指定するようになっている。
【００８９】
例えばユーザは、「電源ＯＦＦ」を指定し、動作条件として「印刷中でないプリンタのみ実行」を指定したい場合、「電源ＯＦＦ」に対応する「記号□」（チェックボックス）の内部を塗り潰し（マーク形式で塗り潰し）「記号■」（チェックボックス）に変更するとともに、「印刷中でないプリンタのみ実行」に対応する「記号□」（チェックボックス）の内部を塗り潰し（マーク形式で塗り潰し）「記号■」（チェックボックス）に変更することになる。
【００９０】
なお、動作条件が指定されない場合はデフォルトの動作条件（例えば「印刷中でないプリンタのみ実行」）が適用されるようになっている。
【００９１】
時刻指定１３５０の項目は、動作１３４０の項目で指定された処理（電源操作処理）が実行される時刻を指定する場合の時刻を示す。この時刻指定１３５０の項目は、時刻の指定が行われない場合は空白となる。
【００９２】
この時刻指定１３５０の項目は、特定の電源操作処理が実行される時刻を指定するための第３の項目に対応する。
【００９３】
上述した電源操作シート１３００は、上記第１の項目と上記第２の項目と上記第３の項目とを含む様式の文書が印刷された印刷物であって、当該印刷物に対してユーザにより少なくとも上記第１の項目および上記第２の項目に関して指定されたものである、と言える。
【００９４】
また、上述した原稿（印刷物）としての電源操作シート１３００は、画像処理装置としての画像入力装置１００＃１によって予め設定される様式に従って作成された文書が、複数の画像形成装置２００（２００＃１〜２００＃４）の中から当該画像入力装置１００＃１によって指定された画像形成装置によって画像形成（印刷）された印刷物（画像が形成された記録媒体）である。
【００９５】
なお、第１の実施の形態においては、ネットワーク３００に接続される電気機器の中で、画像処理装置としての画像入力装置１００＃１以外の画像入力装置１００＃２、画像形成装置２００（２００＃１〜２００＃４）については、画像入力装置１００＃１の管理下の電気機器から除外する旨（制御対象の電気機器から除外する旨）を設定することが可能になっている。この制御対象の電気機器から除外する旨が設定された電気機器は、電源操作シート１３００の機器指定１３１０の項目には記述されない。
【００９６】
ところで、上述した電源操作シート１３００において、フォーム識別コード１３１０、動作１３４０および時刻指定１３５０の各項目に対応する提示内容は、予め設定された内容（内容に変更のない限り固定の内容）を示す。また、印刷日時１３２０の項目に対応する提示内容は、画像形成装置によって画像形成された日時の内容を示す。機器指定１３３０の項目に対応する提示内容は、ネットワーク３００に接続されている電気機器であって、制御対象の電気機器から除外する旨が設定されている電気機器（後述する管理対象外である旨の電気機器）を除く電気機器のホスト名を示す。
【００９７】
次に、接続機器管理テーブルの詳細について、図６を参照して説明する。
【００９８】
接続機器管理テーブル１５００は、図６に示すように、機器名１５１０、アドレス１５２０、機器情報１５３０、状態１５４０、動作１５５０、時刻指定１５６０、管理対象外１５７０の各項目から構成されている。
【００９９】
接続機器管理テーブル１５００は、画像処理装置としての画像入力装置１００＃１が、電気機器の情報（アドレス、機器の状態、電源操作シートで予約された動作（動作１３４０あるいは時刻指定１３５０の各項目で指定された内容）、スキャナ識別子）を管理するために用いられる。
【０１００】
機器名１５１０、アドレス１５２０、機器情報１５３０、状態１５４０、および管理対象外１５７０の各項目には、画像処理装置としての画像入力装置１００＃１と他の電気機器（画像入力装置１００＃２、画像形成装置２００＃１〜２００＃４）との通信により取得された情報が登録されるようになっている。
【０１０１】
機器名１５１０の項目には、ネットワーク３００に接続されている電気機器のホスト名が登録される。
【０１０２】
アドレス１５２０の項目には、ネットワーク３００に接続されている電気機器のアドレスが登録される。
【０１０３】
機器情報１５３０の項目には、動作に必要な電気機器の情報が登録される。例えばファクシミリ（ＦＡＸ）機能あり、などが登録される。
【０１０４】
状態１５４０の項目には、電気機器の状態情報が登録される。
【０１０５】
動作１５５０の項目には、電源操作シート１３００の動作１３４０の項目で指定された動作情報が登録される。
【０１０６】
時刻指定１５６０の項目には、電源操作シート１３００の動作１３５０の項目で指定された時刻情報が登録される。
【０１０７】
管理対象外１５７０の項目には、制御対象の電気機器から除外する旨が設定されている電気機器に対応して管理対象外である旨が登録される。なお、制御対象の電気機器から除外する旨が設定されている電気機器つまり管理対象外の電気機器に関しては、電源操作シート１３００の機器指定１３３０の項目には記述されず、電源操作シート１３００での機器指定の対象外の電気機器となる。
【０１０８】
例えば、図６に示す例において、管理対象外１５７０の項目に管理対象外である旨例えば記号○が登録されている「Ｐｒｉｎｔｅｒ４」のホスト名である画像形成装置１００＃４に関しては、図５に示す電源操作シート１３００の機器指定１３３０の項目に記述されていない。
【０１０９】
また、管理対象外である旨例えば管理装置は、上述した画像処理装置の機能を有する画像入力装置であることを意味する。従って画像入力装置１００＃１は、他の電気機器を管理し、これら電気機器に対し電源操作処理をするべき旨を通知する必要があるので、電源操作シートで指定される電源操作処理は適用されない。
【０１１０】
なお、管理対象外の電気機器に対しては、「全プリンタ」や「全スキャナ」が選択されても、電源操作処理を実行させる制御は行われないようになっている。
【０１１１】
電源がオフ（ＯＦＦ）となっている電気機器が制御対象の電気機器として指定されている場合は、制御対象の電気機器に関しては、そのホスト名が接続機器管理テーブル１５００には存在しないため、電源操作処理を実行させる制御は行われない。接続機器管理テーブル１５００に登録されている電気機器の電源が途中でオフ（ＯＦＦ）になった場合は、当該電気機器に関する情報（ホスト名が登録されている行の情報）が接続機器管理テーブル１５００から削除される。
【０１１２】
上述した接続機器管理テーブル１５００は、画像処理装置としての画像入力装置１００＃１がネットワーク３００に接続されている電気機器との通信により、電気機器に関する情報つまり機器名、アドレス、機器情報、機器の状態、管理対象外である旨を取得した場合に、これらの情報に基づいて画像入力装置１００＃１によって作成される。ちなみに図６に示す例において、動作１５５０および時間指定１５６０の各項目に何も登録されていない状態の接続機器管理テーブル１５００が、作成当初の接続機器管理テーブルとなる。
【０１１３】
次に、画像処理装置としての画像入力装置１００＃１による電源操作制御処理（電源制御）について、図７を参照して説明する。
【０１１４】
最初に、ユーザは、画像処理装置としての画像入力装置１００＃１の操作／表示部１６０を操作して、電源操作シートの作成要求と、作成された電源操作シートの印刷出力先を指定する。
【０１１５】
この作成要求を受け付けた画像入力装置１００＃１の制御部１２０は、通信部１１０を介してネットワーク３００に接続されている電気機器との通信により、電気機器に関する情報（機器名、アドレス、機器情報、機器の状態、管理対象外である旨など）を取得し、この取得した情報に基づいて、図８に示す接続機器管理テーブル１５００Ａを作成して、記憶部１５０に格納する。この接続機器管理テーブル１５００Ａが作成当初の接続機器管理テーブルとなる。
【０１１６】
ちなみに、接続機器管理テーブル１５００Ａにおいては、ネットワーク３００に接続されている電気機器としての、画像形成装置２００＃１〜２００＃４と画像入力装置１００＃１，１００＃２が登録されている。
【０１１７】
また、制御部１２０は、ネットワーク３００に接続されている電気機器つまり接続機器管理テーブル１５００Ａの機器名１５１０の項目に登録した電気機器のホスト名に基づいて、データとしての図９に示すような電源操作シート１３００Ａを作成するとともに、通信部１１０を介して、ユーザによって指定された印刷出力先としての例えば画像形成装置２００＃１に対しデータとしての当該電源操作シート１３００Ａを送信し画像形成（印刷）を依頼する。
【０１１８】
画像形成（印刷）の依頼を受け付けた画像形成装置２００＃１は、画像入力装置１００＃１からのデータ（電源操作シート１３００Ａ）を基に画像形成（印刷）を実施し、この画像形成の結果としての印刷物、つまり原稿（フォーム）としての図９に示す電源操作シート１３００Ａを出力する。
【０１１９】
このようにして印刷された電源操作シート１３００Ａに対して、ユーザが、機器指定１３３０の項目において「全プリンタ」を指定（選択）するとともに、動作１３４０の項目において電源操作処理としての「電源ＯＦＦ」および動作条件としての「印刷中でないプリンタのみ実行」を指定（選択）したとする。その結果として、図１０に示す電源操作シート１３００Ｂが得られる。
【０１２０】
この電源操作シート１３００Ｂにおいて、機器指定１３３０の項目に対応する提示内容は、図８に示した接続機器管理テーブル１５００Ａを参照して記述される。
【０１２１】
そして、ユーザが図１０に示す電源操作シート１３００Ｂを画像入力装置１００＃１の原稿台にセットし、操作／表示部１６０の入力部を操作してスキャン開始の指示を行うと、画像入力装置１００＃１では、画像読取部１３０は、図７に示すように、原稿（フォーム）としての電源操作シート１３００Ｂのスキャン処理を実行して画像情報を読み取り、この読み取りの結果に応じた画像データを制御部１２０へ出力する（ステップＳ１０１）。
【０１２２】
制御部１２０が画像読取部１３０からの画像データを画像解析部１４０へ出力すると、画像解析部１４０は、受け取った画像データ（スキャンされた原稿に対応する画像データ）を解析し、この解析の結果を制御部１２０へ出力する（ステップＳ１０２）。
【０１２３】
制御部１２０は、画像解析部１４０による解析の結果を基に、電源操作シートであるか否かを判断する（ステップＳ１０３）。
【０１２４】
ここで、フォーム識別コード１３１０の項目にコード「００１」が登録されている場合には電源操作シートであると判断され、一方、コード「００１」以外のコードの場合は電源操作シートではないと判断される。
【０１２５】
制御部１２０は、ステップＳ１０３において電源操作シートであると判断した場合は、電源操作シート１３００Ｂに設定されている情報つまり機器指定１３３０、動作１３４０、および時刻指定１３５０の各項目に設定されている情報を解析し、該解析した結果に基づき該当する情報を抽出する（ステップＳ１０４）。
【０１２６】
制御部１２０は、ステップＳ１０４において抽出した情報のうち電源操作シート１３００Ｂの動作１３４０の項目において選択（指定）されている動作情報（電源操作処理の選択肢および動作条件の選択肢）を、記憶部１５０に記憶されている接続機器管理テーブル１５００Ａ（図８参照）の動作１５５０の項目に登録する（ステップＳ１０５）。
【０１２７】
このステップＳ１０５の処理が終了した時点において、図８に示す接続機器管理テーブル１５００Ａは、図１１に示す接続機器管理テーブル１５００Ｂに変更されたとする。接続機器管理テーブル１５００Ｂの動作１５５０の項目には、電源操作処理情報（電源ＯＦＦまたは節電移行）および動作条件情報を含む動作情報が登録される。
【０１２８】
図１１において、動作条件２は、「印刷中でないプリンタのみ実行」を意味する。従って、動作１５５０の項目に登録されている動作情報（電源操作処理情報＝電源ＯＦＦと動作条件２とを含む情報）により、印刷中でないプリンタ（画像形成装置）に対し、電源ＯＦＦするという電源操作処理を実行するべき旨が通知される。
【０１２９】
制御部１２０は、ステップＳ１０４において抽出した情報の中に、電源操作シート１３００Ｂの時刻指定１３５０の項目に対応して設定される時刻情報が含まれているか否か（時刻指定が行われているか否か）を判断し（ステップＳ１０６）、この判断した結果、時刻情報が含まれている場合（時刻指定が行われている場合）は、当該時刻情報を、接続機器管理テーブル１５００Ｂ（図１１参照）の時刻指定１５６０の項目に登録する（ステップＳ１０７）。
【０１３０】
制御部１２０は、ステップＳ１０６において時刻情報が含まれていないと判断した場合（時刻指定が行われていないと判断した場合）、あるいはステップＳ１０７を終了した場合、指定された電気機器の中で、電源操作制御処理が未処理の電気機器が存在するか否かをチェックする（ステップＳ１０８）。
【０１３１】
ここで、制御部１２０は、接続機器管理テーブル１５００Ｂの動作１５５０の項目に、動作情報（電源操作処理情報および動作条件情報）が存在している場合には、未処理の電気機器が存在していると判断し、一方、前記動作情報が存在していない場合は、未処理の電気機器が存在していないと判断する。
【０１３２】
制御部１２０は、ステップＳ１０８において未処理の電気機器が存在すると判断した場合は、接続機器管理テーブル１５００Ｂの状態１５４０の項目に登録されている状態情報が、動作１５５０の項目に登録されている動作情報に含まれる動作条件に適合している、電気機器が存在するか否かを確認する（ステップＳ１０９）
【０１３３】
ステップＳ１０９においては、制御部１２０は、時刻指定１５６０の項目に時刻情報が登録されていないものの、状態１５４０の項目に登録されている状態情報が、動作１５５０の項目に登録されている動作条件（予約動作が含まれていない動作条件）に適合している場合は、上記状態情報が上記動作条件に適合している電気機器が存在すると判断する。
【０１３４】
この場合、制御部１２０は、無条件で、上記動作条件に適合する上記状態情報に対応する機器名１５１０の項目に登録されているホスト名の電源機器（制御対象の電気機器）に対し、電源操作処理を実行するべき旨を通知する。
【０１３５】
また、制御部１２０は、時刻指定１５６０の項目に時刻情報が登録されおり、現在の時刻が当該登録されている時刻に達し、かつ状態１５４０の項目に登録されている状態情報が、動作１５５０の項目に登録されている動作情報に含まれる動作条件に適合している場合は、上記状態情報が上記動作条件に適合している電気機器が存在すると判断する。
【０１３６】
この場合、制御部１２０は、上記動作条件に適合する上記状態情報に対応する機器名１５１０の項目に登録されているホスト名の電源機器（制御対象の電気機器）に対し、電源操作処理を実行するべき旨を通知する。
【０１３７】
さらに、制御部１２０は、時刻指定１５６０の項目に時刻情報が登録されているものの、現在の時刻が当該登録されている時刻に達しない場合、または状態１５４０の項目に登録されている状態情報が動作１５５０の項目に登録されている動作情報に含まれる動作条件に適合していない場合は、上記状態情報が上記動作条件に適合している電気機器は存在しないと判断する。
【０１３８】
この場合、制御部１２０は、上記動作情報に対応する機器名１５１０の項目に登録されているホスト名の電源機器（制御対象の電気機器）に対する電源操作処理を実行するべき旨の通知を保留にする。
【０１３９】
さて、制御部１２０は、ステップＳ１０９において上記状態情報が上記動作条件に適合している電気機器が存在すると判断した場合は、当該動作情報に対応する機器名１５１０の項目に登録されているホスト名の電源機器（制御対象の電気機器）に対し、電源操作処理（この例では「電源ＯＦＦ」）を実行するべき旨を通知する（ステップＳ１１０）。
【０１４０】
制御部１２０は、接続機器管理テーブル１５００Ｂにおいて、ステップＳ１１０で電源操作処理を実行するべき旨を通知した通知先の電気機器に関する動作１５５０および時刻指定１５６０の各項目に対応して登録されている内容を削除し（ステップＳ１１１）、その後、ステップＳ１０８に戻る。
【０１４１】
制御部１２０は、接続機器管理テーブル１５００Ｂの動作１５５０の項目に対応する登録内容が削除されることにより、当該削除された登録内容に対応するホスト名の電気機器（上記通知先の電気機器）に対しては電源操作制御処理を実施したと判断する。
【０１４２】
制御部１２０は、ステップＳ１０９において上記状態情報が上記動作条件に適合している電気機器が存在しないと判断した場合は、ステップＳ１０８に戻る。
【０１４３】
制御部１２０は、ステップＳ１０８において未処理の電気機器が存在しないと判断した場合（指定された電気機器の全てについて電源操作制御処理を実施したと判断した場合）は、この処理を終了する。
【０１４４】
制御部１２０は、ステップＳ１０３において電源操作シートではないと判断した場合は、通常のスキャナの処理を実施し（ステップＳ１１２）、その後、この処理を終了する。
【０１４５】
なお、画像入力装置１００＃１は、複数の電源操作シートを読み込んだ場合も、上記同様の電源操作制御処理を実行する。
【０１４６】
例えば、ユーザは、「Ｐｒｉｎｔｅｒ１」および「Ｐｒｉｎｔｅｒ２」の各ホスト名の画像形成装置２００＃１，２００＃２については電源操作処理として「電源ＯＦＦ」を指定し、「Ｐｒｉｎｔｅｒ３」および」Ｐｒｉｎｔｅｒ４」の各ホスト名の画像形成装置２００＃３，２００＃４については電源操作処理として「節電移行」を指定したい場合、前者の電源操作処理を実行させるための電源操作シートと、後者の電源操作処理を実行させるための電源操作シートとを画像入力装置１００＃１に読み込ませる必要がある。
【０１４７】
次に、画像入力装置１００＃１による電源操作制御処理（電源制御）について、図１２を参照して具体的に説明する。
【０１４８】
ユーザは画像入力装置１００＃１に対し、その操作／表示部１６０を操作して、電源操作シートの作成を要求するとともに、作成された電源操作シートを印刷出力先としての画像形成装置２００＃１から印刷出力させる指示を行う（図１２のＰ１参照）。
【０１４９】
すると、画像入力装置１００＃１の制御部１２０は、通信部１１０を介してネットワーク３００に接続されている電気機器すなわち画像入力装置１００＃２、画像形成装置２００＃１〜２００＃４との通信により、電気機器に関する情報（機器名、アドレス、機器情報、機器の状態、管理対象外である旨など）を取得し、この取得した情報に基づいて、接続機器管理テーブル１５００Ａ（図８参照）を作成して、記憶部１５０に格納する。
【０１５０】
次に、画像入力装置１００＃１の制御部１２０は、ネットワーク３００に接続されている電気機器つまり接続機器管理テーブル１５００Ａの機器名１５１０の項目に登録した電気機器のホスト名に基づいて、データとしての電源操作シート１３００Ａ（図９参照）を作成するとともに、通信部１１０を介して、ユーザによって指定された印刷出力先としての例えば画像形成装置２００＃１に対しデータとしての電源操作シート１３００Ａを送信し印刷要求を行う（図１２のＰ２参照）。
【０１５１】
印刷要求を受け付けた画像形成装置２００＃１は、画像入力装置１００＃１からのデータ（電源操作シート１３００Ａ）を基に画像形成（印刷）を実施し、この画像形成の結果としての印刷物、つまり原稿（フォーム）としての電源操作シート１３００Ａ（図９参照）を出力する（図１２のＰ３参照）。
【０１５２】
ユーザは、印刷物つまり原稿（フォーム）としての電源操作シート１３００Ａに対して、機器指定１３３０の項目に提示されている複数の選択肢の中から、電源を操作したい電気機器に対応する選択肢を選択するとともに、動作１３４０の項目に提示されている複数の選択肢の中から、実施させたい動作（電源操作処理および動作条件）に対応する選択肢を選択する（図１２のＰ４参照）。
【０１５３】
ここで、ユーザが、図１０に示す電源操作シート１３００Ｂの如く、機器指定１３３０の項目において「全プリンタ」に対応する記号□の内部を塗り潰す（□のチェックボックスをマークする）ことにより、電源を操作したい電気機器を選択するとともに、動作１３４０の項目において電源操作処理としての「電源ＯＦＦ」および動作条件としての「印刷中でないプリンタのみ実行」のそれぞれに対応する記号□の内部を塗り潰す（□のチェックボックスをマークする）ことにより、実施させたい動作（電源操作処理および動作条件）を選択したとする。
【０１５４】
そして、ユーザが原稿（フォーム）としての電源操作シート１３００Ｂ（図１０参照）を画像入力装置１００＃１の原稿台にセットし、操作／表示部１６０の入力部を操作してスキャン開始の指示を行うと、画像入力装置１００＃１の画像解析部１４０は、画像読取部１３０が原稿としての電源操作シート１３００Ｂをスキャンすることにより読み込んだ画像情報を解析する。次に、画像入力装置１００＃１の制御部１２０は、前記解析の結果を基に、フォーム識別コードから電源操作シートであると判断し、この電源操作シート１３００Ｂの情報を解析する（図１２のＰ５参照）。
【０１５５】
画像入力装置１００＃１の制御部１２０は、上記解析した情報を基に記憶部１５０に格納されている接続機器管理テーブル１５００Ａ（図８参照）を更新する。この更新処理により接続機器管理テーブル１５００Ａは、図１１に示す接続機器管理テーブル１５００Ｂに更新される。
【０１５６】
また、制御部１２０は、接続機器管理テーブル１５００Ｂの状態１５４０の項目に登録されている状態情報が、動作１５５０の項目に登録されている動作情報に含まれる動作条件に適合している画像形成装置が存在するかを確認する。
【０１５７】
また、制御部１２０は、電源操作シートの動作１３４０の項目において予約動作を含む動作条件が選択され、指定された画像形成装置の状態が予約動作に適合しなかたときは、当該画像形成装置の状態が当該予約動作に適合するまで、電源操作処理を実行するべき旨（電源操作処理命令）の通知を保留にする（図１２のＰ６参照）。
【０１５８】
さらに、制御部１２０は、上記状態情報が上記動作条件に適合する画像形成装置すなわち指定された画像形成装置に対し、電源操作処理（電源ＯＦＦ）を実行するべき旨（電源操作処理命令）を通知するとともに、電源操作処理を実行するべき旨の通知を行った場合、接続機器管理テーブル１５００Ｂの動作１５５０の項目に登録されている動作情報を削除する（図１２のＰ７参照）。
【０１５９】
この例では、図１１に示した接続機器管理テーブル１５００Ｂに示すように、動作１５５０の項目に登録されている動作情報が、電源操作処理しての「電源ＯＦＦ」、動作条件としての「印刷中でないプリンタのみ実行」となっている。そのため、機器の状態が「起動中」となっている「Ｐｒｉｎｔｅｒ１」のホスト名の画像形成装置２００＃１、および機器の状態が「節電中」となっている「Ｐｒｉｎｔｅｒ２」のホスト名の画像形成装置２００＃２に対しては電源操作処理（電源ＯＦＦ）を実行するべき旨（電源ＯＦＦ命令）の通知が行われる。
【０１６０】
一方、機器の状態が「印刷中」となっている「Ｐｒｉｎｔｅｒ３」および「Ｐｒｉｎｔｅｒ４」の各ホスト名の画像形成装置２００＃３および画像形成装置２００＃４に対しては電源操作処理（電源ＯＦＦ）を実行するべき旨（電源ＯＦＦ命令）の通知は行われない。しかし、これら画像形成装置２００＃３，２００＃４の状態が、「印刷中」から例えば「節電中」に変化した場合は、これら画像形成装置２００＃３，２００＃４に対して、電源操作処理（電源ＯＦＦ）を実行するべき旨（電源ＯＦＦ命令）が通知されることとなる。
【０１６１】
ところで、上述したようにして画像入力装置１００＃１から電源操作処理を実行するべき旨の通知を受けた画像形成装置２００＃１および画像形成装置２００＃２では、電源操作部２７０は、当該電源操作処理（電源ＯＦＦ）を実行する（図１２のＰ８参照）。
【０１６２】
なお、第１の実施の形態では、画像形成システム２は、画像入力装置はスキャナとし、画像形成装置はプリンタとする構成であるとしているが、スキャン機能、プリント機能、コピー機能など複数の機能を有する画像形成装置いわゆる複合機を含めた構成、あるいは複数の複合機のみの構成とするようにしてもよい。
【０１６３】
また、第１の実施の形態では、例えば図５に示した電源操作シート１３００において、機器指定１３３０の項目にはホスト名をリスト表記で提示するようにしているが、そのホスト名を地図表記で提示するようにしてもよい。
【０１６４】
すなわち、画像入力装置１００＃１では、制御部１２０は、電源操作シート１３００を作成するに際し、機器指定の項目に関しては、図１３に示すように、リスト表記での機器指定１３３０Ａの項目と地図表記での機器指定１３３０Ｂの項目とを操作／表示部１６０の表示部に表示し、何れかの表記での機器指定の項目を指定させる。次に、制御部１２０は、ユーザによって指定された地図表記での機器指定１３３０Ｂの項目に従って電源操作シート１３００を作成する。
【０１６５】
なお、地図表記においては、プリンタやスキャナが設置された状態のフロアーをレイアウトするとともに、プリンタやスキャナが設置されているフロアー上の箇所に対応するレイアウト上の位置にチェックボックスを配置した内容となる。
【０１６６】
そして、ユーザは、図１３の地図表記での機器指定１３３０Ｂの項目を含む電源操作シート（データとしての電源操作シート）が印刷された原稿（フォーム）としての電源操作シート１３００の機器指定１３３０Ｂの項目に対して、チェックボックスを指定（選択）する。
【０１６７】
ちなみに、図１３に示す例において、ユーザによってリスト表記での機器指定１３３０Ａの項目が指定された場合は、図５に示した電源操作シート１３００が作成されることとなる。
【０１６８】
また、第１の実施の形態では、画像処理装置としての画像入力装置１００＃１は、電源操作シートの作成要求があった場合に、ネットワーク３００に接続されている他の電気機器例えば画像入力装置１００＃１、画像形成装置２００＃１〜２００＃４との通信により、電気機器の情報（機器名（ホスト名）、アドレス、機器情報、機器の状態）を取得し、この取得した情報を基に電源操作シートを作成するとともに接続機器管理テーブルを作成するようにしているが、次のようにしてもよい。
【０１６９】
すなわち、画像入力装置１００＃１は、ユーザによる最初の電源操作シートの作成要求のときに接続機器管理テーブルを作成した後は、定期的に、ネットワーク３００に接続されている他の電気機器との通信を行うことにより上記電気機器の情報を取得し、この取得した情報を基に接続機器管理テーブルを更新し、当該接続機器管理テーブルの内容を最新のものにしておく。そして、画像入力装置１００＃１は、ユーザによる次の電源操作シートの作成要求を受け付けたときは、接続機器管理テーブルの内容（機器名１５１０の項目の内容）を基に電源操作シートを作成する。
【０１７０】
また、第１の実施の形態では、画像処理装置としての画像入力装置１００＃１が、原稿（フォーム）としての例えば電源操作シート１３００Ｂ（図１０参照）をスキャンして読み取った画像情報を基に接続機器管理テーブルを作成し、電源操作制御処理を実施するようにしているが、次のようにしてもよい。
【０１７１】
すなわち、図１に示した通信システム１において、処理装置としての画像処理装置１０は、コンピュータなど情報処理装置とする。この場合、画像入力装置１００＃１は上述した画像処理装置の機能を有しないものとする。
【０１７２】
上記情報処理装置では、取得部１１は、ユーザから電源操作の処理要求を受け付けた場合、複数の電気機器との通信により上記電気機器の情報を取得し、制御部１３は、この情報を基に接続機器管理テーブル（図８参照）を作成して記憶装置に記憶するとともに、例えば図９に示す電源操作シート１３００Ａに対応する電源操作情報をディスプレイなど表示装置に表示する。
【０１７３】
この場合、図９に示すホスト名「Ｓｃａｎｎｅｒ１」の画像入力装置１００＃１は画像処装置の機能を有していないので、制御対象の電気機器となり得るので、「Ｓｃａｎｎｅｒ１」のホスト名に対応して「記号□」（チェックボックス）が付与される。
【０１７４】
そして、ユーザは、キーボードあるいはマウスなど入力装置を操作して、表示装置に表示されている図９に示す電源操作シート１３００Ａに対応する電源操作情報の内容に対し、制御対象とする電気機器を指定するとともに、動作情報（電源操作処理および動作条件）を指定する。その結果として、その電源操作情報の内容が図１０に示す電源操作シート１３００Ｂに対応する電源操作情報の内容に変更されたとする。
【０１７５】
次に、ユーザは、図１０に示す電源操作シート１３００Ｂに対応する電源操作情報の内容でよければ、上記入力装置を操作して、当該電源操作情報に基づく電源操作制御処理を実行するよう指示する。
【０１７６】
そのユーザからの上記指示を受け付けた情報処理装置では、受付部１２が、図１０に示す電源操作シート１３００Ｂに対応する電源操作情報を受け付けると、制御部１３は、当該電源操作情報の内容に基づき接続機器管理テーブルの内容を更新する。更新後の接続機器管理テーブルは、図１１に示す接続機器管理テーブル１５００Ｂであるとする。
【０１７７】
その後、制御部１３は、図７に示した電源操作制御処理と同様に、接続機器管理テーブル１５００Ｂの登録内容に基づき電源操作制御処理を実行する。
【０１７８】
さらに、第１の実施の形態において、画像入力装置は、電源操作シートのフォームを読み込んだ場合に、例えば画像形成装置の電源制御を実施するようにしているが、次のようにしてもよい。
【０１７９】
すなわち、画像入力装置は、読み込んだフォーム（電源操作シートのフォーム、ＦＡＸフォームなど）を判断し、この判断した結果を基に画像形成装置の電源制御を行なう。例えば、画像入力装置は、印刷処理を行なわないフォーム（ＦＡＸフォームなど）を読み込んだ場合に、画像形成装置を節電モードに移行させる制御を行う。このように、画像入力装置は、登録したフォーム毎に、電気機器に対する電源操作制御処理（電源制御）を実施する。
【０１８０】
以上説明したように、第１の実施の形態では、ユーザは、電源操作シートを画像処理装置に読み込ませることで、ネットワークに接続されているプリンタ、スキャナなど一つ以上の電気機器に対し、当該電気機器にかかわる省エネルギー対策処理としての例えば電源操作処理（電源ＯＦＦや節電移行）を実施させる。
【０１８１】
また、第１の実施の形態では、ユーザは、電源操作シートに対して動作情報（電源操作処理および動作条件）を指定することで、プリンタなど電気機器に対し、当該電気機器の状況（機器の状態）を考慮して電源操作処理（電源ＯＦＦや節電移行）を実施させる。
【０１８２】
電気機器の状況（機器の状態）を考慮した電源操作処理としては、例えば、（１）印刷中でない場合または印刷ジョブが存在しない場合、節電に移行させる、または電源をオフ（ＯＦＦ）する（電源を切る）、（２）節電中の画像形成装置（プリンタ）のみ電源を切る、（３）エラー時は電源を切らない、（４）電気機器が複合機(ＦＡＸ付き)の場合には節電とし、プリンタの場合は電源を切る、などが挙げられる。
【０１８３】
さらに、第１の実施の形態では、ユーザは、電源操作シートに対して制御対象の複数の電気機器および省エネルギー対策処理（節電や電源ＯＦＦなど電源操作処理）を指定して、当該電源操作シートを画像処理装置に読み込ませることにより、前記指定された複数の電気機器に対し、省エネルギー対策処理としての電源操作処理（節電や電源ＯＦＦ）を実施させる。
【０１８４】
これにより、ユーザは、制御対象の複数の電気機器および省エネルギー対策処理（電源操作処理）を電源操作シートに指定する作業を１回行うことで、上記制御対象の複数の電気機器のそれぞれにおいて電源操作処理（節電や電源ＯＦＦ）が実施される。
【０１８５】
次に、第１の実施の形態に係る画像入力装置１００のハードウェア構成について、図１４を参照して説明する。
【０１８６】
画像入力装置１００は、図１４に示すように、ＣＰＵ１０１、記憶装置１０２、ＲＯＭ１０３、ＲＡＭ１０４、操作パネル１０５、スキャナ１０６、および通信Ｉ／Ｆ１０７を有している。これらの構成要素１０１〜１０７はシステムバス１０８に接続されている。なお、記憶装置１０２、およびスキャナ１０６は、それぞれに対応するインタフェース（図示せず）を介してシステムバス１０８に接続される。
【０１８７】
記憶装置１０２は、例えばハードディスクであり、図３に示した制御部１２０（取得部１２１を含む）および画像解析部１４０の各機能を実現するためのソフトウェア（プログラム）、図７に示した電源操作制御処理の処理手順に対応するソフトウェア（プログラム）、処理プログラム１０２Ａなどインストールされた各種のプログラムを記憶している。
【０１８８】
また、記憶装置１０２は、図３に示した記憶装置１５０の機能を有し、接続機器管理テーブルを記憶する。
【０１８９】
処理プログラム１０２Ａは、少なくとも次の（１）〜（３）の各処理過程を含んでいる。
【０１９０】
（１）一つ以上の電気機器から送信される当該電気機器の状態情報を取得する取得処理過程。この処理過程は取得部１２１によって実行される。
【０１９１】
（２）上記一つ以上の電気機器の中の制御対象の電気機器を示す情報および当該制御対象の電気機器にかかわる省エネルギー対策処理情報を受け付ける受付処理過程。この処理過程は、制御部１２０によって実行される。具体的には、制御部１２０が、画像解析部１４０からの解析結果を取得する（受け付ける）ことにより、前記受付処理過程が実行される。
【０１９２】
（３）上記取得処理過程により取得された情報と上記受付処理過程により受け付けられた情報とを基に、前記制御対象の電気機器に対し前記省エネルギー対策処理を実行するべき旨を通知する制御処理過程。この処理過程は制御部１２０によって実行される。
【０１９３】
ＲＯＭ１０３は、読み出し専用メモリであり、他の画像入力装置や複数の画像形成装置２００など外部装置との通信を実施するための通信プロトコル情報を記憶している。
【０１９４】
ＲＡＭ１０４は、随時書き込み読み出しメモリであり、記憶装置１０２から読み込まれた処理プログラム１０２Ａを含むプログラムやデータ、ＲＯＭ１０３から読み込まれた通信プロトコル情報、画像読取部１３０が読み取った画像データ、画像解析部１４０による解析の結果、通信Ｉ／Ｆ１０７によって送受信されるデータなどを記憶する。
【０１９５】
操作パネル１０５は、図３に示した操作／表示部１６０の機能を果たし、画像入力装置の状態、ユーザに対してのメッセージなど表示情報を表示する表示機能と、電源操作シート作成指示やスキャン開始指示など指示情報を入力する入力機能とを有する。
【０１９６】
スキャナ１０６は、図３に示した画像読取部１３０の機能を果たし、原稿を光学的に読み取り画像データに変換する。
【０１９７】
通信Ｉ／Ｆ１０７は、図３に示した通信部１１０の機能を果たし、通信回線（ネットワーク）３００を介して外部装置、例えば画像出力装置２００＃１〜２００＃４（図２参照）との通信を行うものである。
【０１９８】
ＣＰＵ１０１は、中央演算処理装置であり、記憶装置１０２からＲＡＭ１０４へ、処理プログラム１０２Ａを含むプログラムを読み込んで実行することにより、上述した制御部１１０（取得部１２１を含む）および画像解析部１４０の機能を実現するとともに、処理プログラム１０２Ａに対応する処理機能を実現する。また、ＣＰＵ１０１は画像入力装置１００全体を制御する。
【０１９９】
本願明細書において、処理プログラムを記録媒体としてのハードディスク等の記憶装置に記録する実施形態として説明したが、当該処理プログラムを次のようにして提供してもよい。
【０２００】
すなわち、上記処理プログラムをＲＯＭに格納しておき、ＣＰＵが、この処理プログラムをこのＲＯＭから主記憶装置へローディングして実行するようにしてもよい。
【０２０１】
また、上記処理プログラムを、ＤＶＤ−ＲＯＭ、ＣＤ−ＲＯＭ、ＭＯ（光磁気ディスク）、フレキシブルディスク、などのコンピュータ読み取り可能な記録媒体に格納して配布するようにしてもよい。この場合、その記録媒体に記録された処理プログラムを画像入力装置がインストールした後、この処理プログラムをＣＰＵが実行するようにする。この処理プログラムのインストール先としては、ＲＡＭ等のメモリやハードディスクなどの記憶装置（記録媒体）が挙げられる。そして、画像入力装置は、必要に応じてこの記憶装置に記憶した処理プログラムを主記憶装置にローディングして実行する。
【０２０２】
さらには、画像入力装置を通信回線（例えばインターネット）を介してサーバ装置あるいはホストコンピュータと接続するようにし、当該画像入力装置が、サーバ装置あるいはホストコンピュータから上記プ処理プログラムをダウンロードした後、この処理プログラムを実行するようにしてもよい。この場合、この処理プログラムのダウンロード先としては、ＲＡＭ等のメモリやハードディスクなどの記憶装置（記録媒体）が挙げられる。そして、当該画画像入力装置が、必要に応じてこの記憶装置に記憶された上記処理プログラムを主記憶装置にローディングして実行するようにする。
【０２０３】
（第２の実施の形態）
【０２０４】
次に、第２の実施の形態に係る画像形成システムについて説明する。
【０２０５】
第２の実施の形態の画像形成システムは、図２に示した第１の実施の形態の画像形成システムと同様の構成なっている。画像入力装置および画像形成装置は、図３に示した画像入力装置および図４に示した画像形成装置の各機能構成と同様になっている。
【０２０６】
また、第２の実施の形態に係る電源操作制御処理（電源制御）は、図７に示した第１の実施の形態の電源操作制御処理（電源制御）の処理手順と同様になっている。
【０２０７】
次に、画像入力装置１００＃１による電源操作制御処理（電源制御）について、図１５を参照して具体的に説明する。
【０２０８】
ユーザは画像入力装置１００＃１に対し、その操作／表示部１６０を操作して、電源操作シートの作成を要求するとともに、作成された電源操作シートを印刷出力先としての画像形成装置２００＃１から印刷出力させる指示を行う（図１５のＰ１１参照）。
【０２０９】
すると、画像入力装置１００＃１の制御部１２０は、通信部１１０を介してネットワーク３００に接続されている電気機器すなわち画像入力装置１００＃２、画像形成装置２００＃１〜２００＃４との通信により、電気機器に関する情報（機器名、アドレス、機器情報、機器の状態、管理対象外である旨など）を取得し、この取得した情報に基づいて、接続機器管理テーブル１５００Ａ（図８参照）を作成して、記憶部１５０に格納する。
【０２１０】
次に、画像入力装置１００＃１の制御部１２０は、ネットワーク３００に接続されている電気機器つまり接続機器管理テーブル１５００Ａの機器名１５１０の項目に登録した電気機器のホスト名に基づいて、データとしての電源操作シート１３００Ａ（図９参照）を作成するとともに、通信部１１０を介して、ユーザによって指定された印刷出力先としての例えば画像形成装置２００＃１に対しデータとしての当該電源操作シート１３００Ａを送信し印刷要求を行う（図１５のＰ１２参照）。
【０２１１】
印刷要求を受け付けた画像形成装置２００＃１は、画像入力装置１００＃１からのデータ（電源操作シート１３００Ａ）を基に画像形成（印刷）を実施し、この画像形成の結果としての印刷物、つまり原稿（フォーム）としての電源操作シート１３００Ａ（図９参照）を出力する（図１５のＰ１３参照）。
【０２１２】
ユーザは、印刷物つまり原稿（フォーム）としての電源操作シート１３００Ａに対して、機器指定１３３０の項目に提示されている複数の選択肢の中から、電源を操作したい電気機器に対応する選択肢を選択するとともに、動作１３４０の項目に提示されている複数の選択肢の中から、実施させたい動作（電源操作処理および動作条件）に対応する選択肢を選択する（図１５のＰ１４参照）。
【０２１３】
ここで、ユーザが、図１６に示す電源操作シート１３００Ｃの如く、機器指定１３３０の項目において「Ｐｒｉｎｔｅｒ１」、「Ｐｒｉｎｔｅｒ２」、「Ｐｒｉｎｔｅｒ３」の各ホスト名に対応する記号□の内部を塗り潰す（□のチェックボックスをマークする）ことにより、電源を操作したい電気機器を選択するとともに、動作１３４０の項目において電源操作処理としての「電源ＯＦＦ」および詳細な条件（動作条件）としての「印刷中でないプリンタのみ実行」のそれぞれに対応する記号□の内部を塗り潰す（□のチェックボックスをマークする）ことにより、実施させたい動作（電源操作処理および動作条件）を選択したとする。
【０２１４】
そして、ユーザが原稿（フォーム）としての電源操作シート１３００Ｃ（図１６参照）を画像入力装置１００＃１の原稿台にセットし、操作／表示部１６０の入力部を操作してスキャン開始の指示を行うと、画像入力装置１００＃１の画像解析部１４０は、画像読取部１３０が原稿としての電源操作シート１３００Ｃをスキャンすることにより読み込んだ画像情報を解析する。次に、画像入力装置１００＃１の制御部１２０は、前記解析の結果を基に、フォーム識別コードから電源操作シートであると判断し、この電源操作シートの情報を解析する（図１５のＰ１５参照）。
【０２１５】
画像入力装置１００＃１の制御部１２０は、上記解析した情報を基に記憶部１５０に格納されている接続機器管理テーブル１５００Ａ（図８参照）を更新する。この更新処理により接続機器管理テーブル１５００Ａは、図１６に示す接続機器管理テーブル１５００Ｃに更新される。
【０２１６】
制御部１２０は、接続機器管理テーブル１５００Ｃの状態１５４０の項目に登録されている状態情報が、動作１５５０の項目に登録されている動作情報に含まれる動作条件に適合している画像形成装置が存在するかを確認する。
【０２１７】
また、制御部１２０は、接続機器管理テーブル１５００Ｃの時刻指定１５６０の項目に時刻情報が登録されているため、現在の時刻が前記時刻情報に基づく時刻（指定された時刻）に達するまで、電源操作処理を実行するべき旨（電源操作処理命令）の通知を保留にする。そして、制御部１２０は、現在の時刻が前記時刻情報に基づく時刻（指定された時刻）に達した場合に、上記状態情報が上記動作条件に適合する画像形成装置すなわち指定された画像形成装置に対し、電源操作処理を実行するべき旨（電源操作処理命令）を通知する。
【０２１８】
また、制御部１２０は、電源操作シート１３００Ｃの動作１３４０の項目において予約動作を含む動作条件が選択され、指定された画像形成装置の状態が予約動作の動作条件に適合しなかたときは、当該画像形成装置の状態が当該予約動作の動作条件に適合するまで、電源操作処理を実行するべき旨（電源操作処理命令）の通知を保留にする（図１５のＰ１６参照）。
【０２１９】
さらに、制御部１２０は、上記状態情報が上記動作条件に適合する画像形成装置すなわち指定された画像形成装置に対し、電源操作処理（電源ＯＦＦ）を実行するべき旨（電源操作処理命令）を通知するとともに、電源操作処理を実行するべき旨の通知を行った場合、接続機器管理テーブル１５００Ｃの動作１５５０の項目に登録されている動作情報を削除する（図１５のＰ１７参照）。
【０２２０】
この例では、図１７に示した接続機器管理テーブル１５００Ｃに示すように、動作１５５０の項目に登録されている動作情報が、電源操作処理しての「電源ＯＦＦ」、動作条件としての「印刷中でないプリンタのみ実行」となっている。そのため、機器の状態が「起動中」となっている「Ｐｒｉｎｔｅｒ１」のホスト名の画像形成装置２００＃１、および機器の状態が「節電中」となっている「Ｐｒｉｎｔｅｒ２」のホスト名の画像形成装置２００＃２に対しては電源操作処理（電源ＯＦＦ）を実行するべき旨（電源ＯＦＦ命令）の通知が行われる。
【０２２１】
一方、機器の状態が「印刷中」となっている「Ｐｒｉｎｔｅｒ３」のホスト名の画像形成装置２００＃３に対しては電源操作処理（電源ＯＦＦ）を実行するべき旨（電源ＯＦＦ命令）の通知は行われない。しかし、この画像形成装置２００＃３の状態が、「印刷中」から例えば「節電中」に変化した場合は、画像形成装置２００＃３に対して、電源操作処理（電源ＯＦＦ）を実行するべき旨（電源ＯＦＦ命令）が通知されることとなる。
【０２２２】
ところで、上述したようにして画像入力装置１００＃１から電源操作処理を実行するべき旨の通知を受けた画像形成装置２００＃１、および画像形成装置２００＃２では、電源操作部２７０は、当該電源作成処理（電源ＯＦＦ）を実行する（図１５のＰ１８参照）。
【０２２３】
以上説明したように、第２の実施の形態では、ユーザは、電源操作シートに対して制御対象の複数の電気機器、省エネルギー対策処理（節電や電源ＯＦＦなど電源操作処理）、および時刻を指定して、当該電源操作シートを画像処理装置に読み込ませることにより、前記指定された複数の電気機器に対し、現在の時刻が指定された時刻に達したときに、省エネルギー対策処理としての電源操作処理（節電や電源ＯＦＦ）を実施させる。
【０２２４】
これにより、ユーザは、制御対象の複数の電気機器および省エネルギー対策処理（電源操作処理）を電源操作シートに指定する作業を１回行うことで、現在の時刻が指定された時刻に達したときに、上記制御対象の複数の電気機器のそれぞれにおいて電源操作処理（節電や電源ＯＦＦ）が実施される。
【０２２５】
以上本発明者によってなされた発明を実施の形態に基づき具体的に説明したが、本明細書で開示された実施の形態はすべての点で例示であって、開示された技術に限定されるものではないと考えるべきである。すなわち、本発明の技術的な範囲は、前記の実施の形態における説明に基づいて制限的に解釈されるものでなく、あくまでも特許請求の範囲の記載に従って解釈されるべきであり、特許請求の範囲の記載技術と均等な技術および特許請求の範囲の要旨を逸脱しない限りにおけるすべての変更が含まれる。
【産業上の利用可能性】
【０２２６】
本発明は、印刷機能、複写機能、スキャン機能など複数の画像形成機能を有する画像形成装置（いわゆる複合機）、画像入力装置、画像形成装置の３種類の電気機器のうち、何れかの種類の複数の電気機器、２種類または３種類の複数の電気機器、または複数の複合機と画像処理装置としての情報処理装置とが通信回線に接続された画像形成システムに適用することができる。
【符号の説明】
【０２２７】
１  通信システム
１０  画像処理装置
１１  取得部
１２  受付部
１３  制御部
２０，２０＃１，２０＃２，２０＃ｎ  電気機器
３０  通信回線
１００，１００＃１，１００＃２  画像入力装置
１１０，２１０  通信部
１２０，２２０  制御部
１２１，２２１  取得部
１３０  画像読取部
１４０  画像解析部
１５０，２３０  記憶部
１６０，２６０  操作／表示部
２００，２００＃１，２００＃２，２００＃３，２００＃４  画像形成装置
２４０  画像処理部
２５０  印刷処理部
２７０  電源操作部
３００  ネットワーク
１３００，１３００Ａ，１３００Ｂ，１３００Ｃ  電源操作シート
１５００，１５００Ａ，１５００Ｂ，１５００Ｃ  接続機器管理テーブル
【図１】
2010206642.tif 000003
【図２】
2010206642.tif 000004
【図３】
2010206642.tif 000005
【図４】
2010206642.tif 000006
【図５】
2010206642.tif 000007
【図６】
2010206642.tif 000008
【図７】
2010206642.tif 000009
【図８】
2010206642.tif 000010
【図９】
2010206642.tif 000011
【図１０】
2010206642.tif 000012
【図１１】
2010206642.tif 000013
【図１２】
2010206642.tif 000014
【図１３】
2010206642.tif 000015
【図１４】
2010206642.tif 000016
【図１５】
2010206642.tif 000017
【図１６】
2010206642.tif 000018
【図１７】
2010206642.tif 000019